【手続補正書】
【提出日】平成17年11月21日(2005.11.21)
【手続補正１】
【補正対象書類名】特許請求の範囲
【補正対象項目名】全文
【補正方法】変更
【補正の内容】
【特許請求の範囲】
【請求項１】
少なくとも２種の第４アンモニウム化合物、ビス−グアニジン化合物、並びに第４アンモニウム化合物および表面張力−活性化合物から選択される化合物からなる抗病原体組成物を含有する、液体および生体組織、並びに液体および／または生体組織で汚染された表面を消毒するのに使用される抗病原体組成物。
【請求項２】
ビス−グアニジン化合物はクロロヘキシジングルコネートである請求項１記載の抗病原体組成物。
【請求項３】
表面張力−活性化合物はＴｅｒｇｉｔｏｌ  ＮＰ−９およびリン酸トリ−ｎ−ブチルから選択される請求項１記載の抗病原体組成物。
【請求項４】
液体および生体組織は水、水性溶液、血液および血液製剤、移植用皮膚および臓器からなる群より選択される請求項１〜３の何れかに記載の抗病原体組成物。
【請求項５】
表面は容器、フィルター、チューブ、シール、クランプ、移動レッグクロージャ、医療用具、手術台および診察台からなる群より選択される請求項１〜３の何れかに記載の抗病原体組成物。
【請求項６】
容器は生体液の容器または水の容器である請求項５記載の抗病原体組成物。
【請求項７】
容器は血液または血液製剤の容器である請求項５記載の抗病原体組成物。
【請求項８】
容器は献血バッグまたはボトルである請求項５記載の抗病原体組成物。
【請求項９】
血液は全血である請求項１〜３の何れかに記載の抗病原体組成物。
【請求項１０】
血液製剤は血漿、濃縮赤血球、多血小板血漿、濃縮血小板およびクリオプレシピテートからなる群より選択される請求項１〜３の何れかに記載の抗病原体組成物。
【請求項１１】
組成物はクリーム剤、軟膏剤、ローション剤、ゲル剤、粉末、洗浄剤、石鹸、液体または固体の形態である請求項１〜３の何れかに記載の抗病原体組成物。
【請求項１２】
血液、血液製剤および容器のうち少なくとも１つを請求項１〜３の何れかに記載の組成物と接触させることからなる、容器に入っている血液または血液製剤中の病原体を不活性にする方法。
【請求項１３】
請求項１〜３の何れかに記載の抗病原体組成物で処理された少なくとも１つの表面を有する、または請求項１〜３の何れかに記載の少なくとも１種の抗病原体組成物を含有する医療用具。
【請求項１４】
医療用具は生体液の容器である請求項１３記載の医療用具。
【請求項１５】
生体液の容器は献血バッグまたはボトルである請求項１４記載の医療用具。
【請求項１６】
医療用具は個体へ送達される前に血液または血液製剤が通過するインラインフィルターである請求項１３記載の医療用具。
【請求項１７】
医療用具は個体からの採血時に血液または血液製剤が通過するインラインフィルターである請求項１３記載の医療用具。
【請求項１８】
抗病原体組成物を分配するための多孔質媒体をさらに含有する請求項１３記載の医療用具。
【請求項１９】
生体液を容器に採取し、その生体液を請求項１〜３の何れかに記載の抗病原体組成物に暴露することからなる、試験管内または生体外で生体液を処理する方法。
【請求項２０】
試験管内または生体外で生体液中のヒト免疫不全ウイルスの感染または複製を阻害する方法であって、該生体液を、薬学的に許容しうる担体と組合せた阻害有効量のビス−グアニジン化合物またはその誘導体および少なくとも１種の第４アンモニウム化合物で処理することからなる上記方法。
【請求項２１】
担体はＤＭＳＯである請求項２０記載の方法。
【請求項２２】
試験管内または生体外で赤血球を消毒する方法であって、
ａ）赤血球を、消毒用組成物と、該赤血球に存在する病原体を不活性にするのに十分な時間接触させ、ここで該消毒用組成物は本質的に、消毒する濃度のビス−グアニジン化合物と等張に有効な濃度の溶質の溶液からなり、それにより該消毒用組成物は実質的に血液と等張であり、そして
ｂ）該赤血球を前記消毒用組成物から単離する
工程からなる上記方法。
【請求項２３】
ビス−グアニジン化合物は第４アンモニウム化合物およびその組合せからなる群より選択される請求項２２記載の方法。
【請求項２４】
病原体を不活性にした後に該抗病原体組成物を除去する工程をさらに包含する請求項１２記載の方法。
【請求項２５】
生体液を処理した後に該抗病原体組成物を除去する工程をさらに包含する請求項１９〜２１の何れかに記載の方法。
【請求項２６】
容器に入っている血液または血液製剤中の病原体を不活性にする方法であって、該血液、血液製剤および容器のうち少なくとも１つを第４アンモニウム化合物、ビス−グアニジン化合物、並びに第４アンモニウム化合物および表面張力−活性化合物から選択される化合物を含有する該抗病原体組成物と接触させることからなる上記方法。
【請求項２７】
ビス−グアニジン化合物はクロロヘキシジングルコネートである請求項２６記載の方法。
【請求項２８】
表面張力−活性化合物はＴｅｒｇｉｔｏｌ  ＮＰ−９およびリン酸トリ−ｎ−ブチルから選択される請求項２６記載の方法。
【請求項２９】
第４アンモニウム化合物、ビス−グアニジン化合物、並びに第４アンモニウム化合物および表面張力−活性化合物から選択される化合物を含有する抗病原体組成物で処理された少なくとも１つの表面を有する医療用具。
【請求項３０】
ビス−グアニジン化合物はクロロヘキシジングルコネートである請求項２９記載の医療用具。
【請求項３１】
表面張力−活性化合物はＴｅｒｇｉｔｏｌ  ＮＰ−９およびリン酸トリ−ｎ−ブチルから選択される請求項２９記載の医療用具。
【請求項３２】
医療用具は生体液の容器である請求項２９〜３１の何れかに記載の医療用具。
【請求項３３】
生体液の容器は献血バッグまたはボトルである請求項３２記載の医療用具。
【請求項３４】
医療用具は個体へ送達される前に血液または血液製剤が通過するインラインフィルターである請求項２９記載の医療用具。
【請求項３５】
医療用具は個体からの採血時に血液または血液製剤が通過するインラインフィルターである請求項２９記載の医療用具。
【請求項３６】
抗病原体組成物を分配するための多孔質媒体をさらに有する請求項２９記載の医療用具。
【請求項３７】
生体液を容器に採取し、その生体液を第４アンモニウム化合物、ビス−グアニジン化合物、並びに第４アンモニウム化合物および表面張力−活性化合物から選択される化合物を含有する抗病原体組成物に暴露することからなる試験管内または生体外で生体液を処理する方法。
【請求項３８】
ビス−グアニジン化合物はクロロヘキシジングルコネートである請求項３７記載の方法。
【請求項３９】
表面張力−活性化合物はＴｅｒｇｉｔｏｌ  ＮＰ−９およびリン酸トリ−ｎ−ブチルから選択される請求項３７記載の方法。
【請求項４０】
許容される担体と組合せた少なくとも１種の第４アンモニウム化合物からなる抗病原体組成物で処理された少なくとも１つの表面を有する、または該組成物を含有する献血バッグまたはボトルからなる医療用具。
【請求項４１】
個体へ送達される前に血液または血液製剤が通過するインラインフィルターからなる医療用具であって、該インラインフィルターは許容される担体と組合せた少なくとも１種の第４アンモニウム化合物からなる抗病原体組成物で処理された少なくとも１つの表面を有する上記医療用具。
【請求項４２】
血液または血液製剤は個体からの採血時に通過する請求項４１記載の医療用具。
【請求項４３】
許容される担体と組合せた少なくとも１種の第４アンモニウム化合物からなる抗病原体組成物で処理された少なくとも１つの表面を有するか、または該組成物を含有し、さらに該抗病原体組成物を分配するための多孔質媒体を有する医療用具。
【請求項４４】
抗病原体組成物はさらにビス−グアニジン化合物を含有する請求項４０〜４３の何れかに記載の医療用具。
【請求項４５】
第４アンモニウム化合物は２種またはそれ以上の第４アンモニウム化合物の混合物からなる請求項４０〜４３の何れかに記載の医療用具。
【請求項４６】
病原体を不活性にした後に該組成物を除去する工程をさらに包含する請求項２６〜２８の何れかに記載の方法。
【請求項４７】
生体液を処理した後に該組成物を除去する工程をさらに包含する請求項３７〜３９の何れかに記載の方法。